(57)【特許請求の範囲】
【請求項１】
複数のキーによる暗証コードの入力を、制御手段により受け付けて認証が行われる認証システムであって、
各前記キーは、第１特定色の光を透過せず他の特定色の光を透過する第１パターン層と、第２特定色の光を透過せず他の特定色の光を透過する第２パターン層と、前記第１特定色又は前記第２特定色で切り替えて発光可能な発光手段を備えており、前記発光手段が第１特定色で発光すると、前記第１パターン層と前記第２パターン層によって、前記キー毎に一意な第１の記号が表示され、前記発光手段が第２特定色で発光すると、前記第１パターン層と前記第２パターン層によって、前記キー毎に一意な第２の記号が表示されるものであり、
前記暗証コードは、前記第１の記号と前記第２の記号の群から構成されており、
前記制御手段は、前記発光手段に前記第１特定色又は前記第２特定色で発光させ、各前記キーにおいて前記第１の記号又は前記第２の記号を表示させると共に、前記キーへの入力を、当該キーが表示している前記第１の記号又は前記第２の記号の入力として取り扱い、
前記キーは、前記発光手段の消灯時において外光による前記第１パターン層及び前記第２パターン層の少なくとも一方のパターンの視認性が低減される隠蔽層を備えており、
前記隠蔽層は、構造色ミラーを有している
ことを特徴とする認証システム。
【請求項２】
前記第１の記号が、前記第１特定色の数字であり、
前記第２の記号が、前記第２特定色の数字である
ことを特徴とする請求項１に記載の認証システム。
【請求項３】
各前記キーは、更に、第ｎ特定色（ｎ＝３又は３，４又は３，４，５又は・・）の光を透過せず他の特定色の光を透過する第ｎパターン層を備えており、
各前記キーの前記発光手段は、前記第１特定色若しくは前記第２特定色又は前記第ｎ特定色の何れかに切り替えて発光可能であり、
各前記キーは、前記発光手段が第ｎ特定色で発光すると、前記第１パターン層若しくは前記第２パターン層又は第ｎパターン層によって、前記キー毎に一意な第ｎの記号が表示されるものであり、
前記暗証コードは、前記第１の記号及び前記第２の記号並びに前記第ｎの記号の群から構成されており、
前記制御手段は、前記発光手段に前記第１特定色若しくは前記第２特定色又は前記第ｎ特定色で発光させ、各前記キーにおいて前記第１の記号若しくは前記第２の記号又は前記第ｎの記号を表示させると共に、前記キーへの入力を、当該キーが表示している前記第１の記号若しくは前記第２の記号又は前記第ｎの記号の入力として取り扱う
ことを特徴とする請求項１又は請求項２に記載の認証システム。
【請求項４】
前記第ｎの記号が、前記第ｎ特定色の数字である
ことを特徴とする請求項３に記載の認証システム。
【発明の詳細な説明】
【技術分野】
【０００１】
本発明は、暗証番号等の入力により解錠等のための認証を行う認証システムに関する。
【背景技術】
【０００２】
暗証番号等の入力に用いられるテンキー装置として、下記特許文献１に記載のものが知られている。このテンキー装置では、７セグメントのデジタル表示により数字が表示される各キーにおいて、入力操作の都度、割り当てられる数字が変更される。又、１０種類の識別可能な色が各数字に対応づけられており、数字の色や背景色が対応する色で表示される。
【先行技術文献】
【特許文献】
【０００３】
【特許文献１】特開２００２−２８７８７１号公報
【発明の概要】
【発明が解決しようとする課題】
【０００４】
特許文献１のテンキー装置では、入力操作の都度、割り当てられる数字が変更されるため、入力時の手の動きや特定のキーの劣化により暗証番号が推測されてしまう事態が防止される。又、各数字に対応づけられた１０種類の識別可能な色によって各数字が表示されるため、色を指標とすることで割り当てられた数字が探し易い。しかし、各キーにおいて７セグメントのデジタル表示及び１０色表示が可能である必要があり、コストがかかる。又、結局認証はテンキーによる暗証番号の入力によっており、更にセキュリティーレベル向上の余地があるものとなっている。
【０００５】
そこで、請求項１に記載の発明は、低コストであり、更にセキュリティーレベルが向上しており、発光手段の消灯時における外観が良好であり、発光手段の各発光色と構造色ミラーの反射色が異なるようにした場合に表示が鮮明となり、近距離通信手段が設けられるような場合にその動作を阻害しない認証システムを提供することを目的としたものである。
【課題を解決するための手段】
【０００６】
上記目的を達成するために、請求項１に記載の発明は、複数のキーによる暗証コードの入力を、制御手段により受け付けて認証が行われる認証システムであって、各前記キーは、第１特定色の光を透過せず他の特定色の光を透過する第１パターン層と、第２特定色の光を透過せず他の特定色の光を透過する第２パターン層と、前記第１特定色又は前記第２特定色で切り替えて発光可能な発光手段を備えており、前記発光手段が第１特定色で発光すると、前記第１パターン層と前記第２パターン層によって、前記キー毎に一意な第１の記号が表示され、前記発光手段が第２特定色で発光すると、前記第１パターン層と前記第２パターン層によって、前記キー毎に一意な第２の記号が表示されるものであり、前記暗証コードは、前記第１の記号と前記第２の記号の群から構成されており、前記制御手段は、前記発光手段に前記第１特定色又は前記第２特定色で発光させ、各前記キーにおいて前記第１の記号又は前記第２の記号を表示させると共に、前記キーへの入力を、当該キーが表示している前記第１の記号又は前記第２の記号の入力として取り扱い、前記キーは、前記発光手段の消灯時において外光による前記第１パターン層及び前記第２パターン層の少なくとも一方のパターンの視認性が低減される隠蔽層を備えており、前記隠蔽層は、構造色ミラーを有していることを特徴とするものである。
【０００７】
請求項２に記載の発明は、上記発明において、前記第１の記号が、前記第１特定色の数字であり、前記第２の記号が、前記第２特定色の数字であることを特徴とするものである。
【０００８】
請求項３に記載の発明は、上記発明において、各前記キーは、更に、第ｎ特定色（ｎ＝３又は３，４又は３，４，５又は・・）の光を透過せず他の特定色の光を透過する第ｎパターン層を備えており、各前記キーの前記発光手段は、前記第１特定色若しくは前記第２特定色又は前記第ｎ特定色の何れかに切り替えて発光可能であり、各前記キーは、前記発光手段が第ｎ特定色で発光すると、前記第１パターン層若しくは前記第２パターン層又は第ｎパターン層によって、前記キー毎に一意な第ｎの記号が表示されるものであり、前記暗証コードは、前記第１の記号及び前記第２の記号並びに前記第ｎの記号の群から構成されており、前記制御手段は、前記発光手段に前記第１特定色若しくは前記第２特定色又は前記第ｎ特定色で発光させ、各前記キーにおいて前記第１の記号若しくは前記第２の記号又は前記第ｎの記号を表示させると共に、前記キーへの入力を、当該キーが表示している前記第１の記号若しくは前記第２の記号又は前記第ｎの記号の入力として取り扱うことを特徴とするものである。
【０００９】
請求項４に記載の発明は、上記発明において、前記第ｎの記号が、前記第ｎ特定色の数字であることを特徴とするものである。
【発明の効果】
【００１０】
本発明によれば、低コストであり、更にセキュリティーレベルが向上しており、発光手段の消灯時における外観が良好であり、発光手段の各発光色と構造色ミラーの反射色が異なるようにした場合に表示が鮮明となり、近距離通信手段が設けられるような場合にその動作を阻害しない認証システムが提供される。
【図面の簡単な説明】
【００１１】
【図１】本発明に係る認証システムのブロック図である。
【図２】図１の認証システムに係る認証装置の前面図である。
【図３】図２の認証装置に係るコードキーの斜視図である。
【図４】図３のコードキーに係る光学積層体の一部水平断面模式図である。
【図５】図３のコードキーの前面図である。
【図６】図２のキー手段における赤数字と青数字の配置が示される前面模式図である。
【図７】図１の認証システムに係る動作例が示されるフローチャートである。
【図８】（ａ）〜（ｄ）は赤数字と青数字の配置の遷移が示される図６同様図である。
【発明を実施するための形態】
【００１２】
以下、本発明に係る実施の形態の例が、適宜図面を用いて説明される。尚、本発明の形態は、以下の例に限定されない。
【００１３】
≪構成等≫
図１は、本発明に係る認証システム１のブロック図である。認証システム１は、施設の電気錠Ｅを、証明の受理（認証）により施解錠するものであり、施設の使用者（会社の従業員等）に配布される１枚又は複数枚の個人カード２と、認証装置４を有する。各個人カード２は、アンテナと、記憶部を有しており、当該記憶部には、個人カード２毎にユニークな、個人ＩＤ（個人識別符号）６や暗証コード８が記憶されている。認証システム１において、暗証コード８は、「０」〜「９」の赤数字若しくは「０」〜「９」の青数字が４桁並べられて構成される。尚、認証システム１は、施解錠に代えて、あるいは施解錠と共に、警備システムにおける警備状態の変更や、現金自動預払機（ＡＴＭ）における所定の操作の受付、ないしはこれらの組合せ等に用いられて良い。又、暗証コード８の桁数や色数は、適宜増減されて良く、色の種類も適宜変更されて良い。
【００１４】
図２は、認証装置４の前面図である。認証装置４は、各種手段を収める直方体状の機枠１０と、近距離通信手段１２と、キー手段（キーボード，テンキー）１４と、受付暗証コード表示手段１６と、各種の情報を記憶する記憶手段１８と、各種手段を制御する制御手段２０を有している。
【００１５】
近距離通信手段１２は、制御手段２０の制御のもと、個人カード２と近距離通信を行う。各個人カード２は、アンテナにおいて近距離通信手段１２から電磁波を受けると、個人ＩＤ６及び暗証コード８を電磁波の形式でアンテナから近距離通信手段１２に送信する。近距離通信手段１２は、個人ＩＤ６及び暗証コード８を受信すると、これらを記憶手段１８に記憶する。尚、近距離通信手段１２は、有線通信を行うものであっても良い。又、近距離通信手段１２に代えて、あるいはこれと共に、携帯電話回線網を介した遠距離通信手段が採用されても良く、要するに通信手段によって個人ＩＤ６や暗証コード８が通信されれば良い。更に、個人ＩＤ６や暗証コード８の少なくとも一方が省略されたり、共通の暗証コード８を用いること等により個人カード２や近距離通信手段１２が省略されたりして良い。
【００１６】
キー手段１４は、１０個のコードキー３０と、訂正キー３１と、確認キー３２を備えている。これらのキーは、認証装置４の前面において露出しており、後方へ押すことが可能となっている。尚、各種キーの配置や個数、種類等は、適宜変更されて良い。
【００１７】
図３は、コードキー３０の斜視図である。各コードキー３０は、円柱状の基台３３と、基台３３の後部から後方に突出した複数の端子３４と、基台３３の前部に被せられた直方体状のキートップ３６を備えている。各コードキー３０は、端子３４を介して制御手段２０と接続されている。端子３４は、制御用のものや電源供給用のものがある。キートップ３６は、後方に押されることで、基台３３に対して後方に移動し、図示しない接点がオンとなって、押し込みによる入力が受け付けられる。
【００１８】
キートップ３６は、前部が開放された箱状のキートップ枠４０と、キートップ枠４０の前部開口内に配置された発光手段４２と、発光手段４２の前側に配置された積層構造の光学積層体４４と、光学積層体４４等を覆う透明なキートップカバー４６を備えている。尚、キートップカバー４６は、半透明とする等、透光性の度合が変更されて良いし、キートップ枠４０と一体化されたり省略されたりしても良い。
【００１９】
図４は、発光手段４２からの光や光学積層体４４の模式的な断面図である。発光手段４２は、光源５０と、光源５０の周囲に配置されたラッパ状の反射板５２を有している。光源５０は、青色ＬＥＤ５０Ｂと赤色ＬＥＤ５０Ｒを有しており、青色光ＢＬと赤色光ＲＬで切り替えて発光可能である。図４では、青色光ＢＬは実線で示され、赤色光ＲＬは一点鎖線で示される。青色光ＢＬや赤色光ＲＬの一部は、反射板５２によって前方へ反射され、光学積層体４６の全体に青色光ＢＬや赤色光ＲＬが供給される。尚、光源５０として、青色光ＢＬと赤色光ＲＬで切替発光可能なＬＥＤが用いられても良いし、混色により発光可能なＬＥＤが用いられても良いし、有機エレクトロルミネッセンス等が用いられても良い。又、光源５０として、青や赤以外の色が用いられて良いし、３色以上が用いられて良いし、色の組合せが様々に変更されて良い。更に、発光手段４２は、光ファイバーや導光板等が組み合わせられたり、反射板５２が省略されて光源５０のみとされ、光学積層体４６を直接照射するものとされたりして良い。
【００２０】
光学積層体４４は、キートップ３６前面のほぼ全体に亘っている。光学積層体４４は、後側（発光手段４２に近い側）から順に、第１パターン層Ｐ１と、第２パターン層Ｐ２と、隠蔽層Ｈを有する。第１パターン層Ｐ１や第２パターン層Ｐ２の形成は、図示しない透明シートに対する印刷により、更に詳しくはシルク印刷により行われ、第１パターン層Ｐ１と第２パターン層Ｐ２は密着している。尚、第１パターン層Ｐ１と第２パターン層Ｐ２の前後を入れ替えたり、第１パターン層Ｐ１と第２パターン層Ｐ２が個別の透明シートに形成されて互いに離隔されるようにしたり、透明シートの透光性の度合が様々に変更されたり、光学積層体４４の他の部分を保護する保護層といった他の層が適宜加えられたりする等、層の配置や構成が適宜変更されて良い。又、各層の肉厚も適宜変更されて良い。更に、発光色数に応じ、パターン層の数が増やされて良い。
【００２１】
第１パターン層Ｐ１は、第１特定色としての青色を呈する青色光ＢＬを透過せず、第２特定色としての赤色を呈する赤色光ＲＬを透過する層である。第１パターン層Ｐ１は、赤色を呈する透光性のある材料、即ち赤色光ＲＬ（赤色に対応する波長を有する光）を透過し他の色（他の波長を有する光）は透過しない光選択透過材（バンドストップフィルタ）により形成される。換言すれば、第１パターン層Ｐ１は、青色光ＢＬを透過せず赤色光ＲＬを透過する光選択透過材（赤色光選択透過材）により形成される。尚、光を透過しないことや光を遮ることには、完全に光を遮ることに加え、僅かに（他の色の光と比較して透過率の低い状態で）光を通すことも含めて良い。
【００２２】
赤色光選択透過材による第１パターン層Ｐ１の形成は、青色光ＢＬ等を吸収し、赤色光ＲＬを吸収しないインクによる着色によって行うことができる。尚、青色光ＢＬを反射し、赤色光ＲＬを反射せず透過する光選択反射材が、光選択透過材として用いられることによって、第１パターン層Ｐ１が形成されても良い。当該光選択反射材は、例えば光学多層膜として形成することができ、その光学多層膜の形成は、例えば真空蒸着法により行うことができる。又、第１パターン層Ｐ１（赤色光選択透過材）における、波長に対する透過率の分布は、赤色に対応する特定の波長において極大値をとりその両側で急峻に下降するものとしたり、あるいは同様な極大値の片側あるいは両側で緩やかに下降するものとしたり、赤色の領域内の特定範囲において極大値と同様の値を維持し、その両側で下降するものとしたり、緑色に対応する波長以外の波長の光を全て透過するものとしたりする等、様々に変更可能である。
【００２３】
第２パターン層Ｐ２は、赤色光ＲＬを透過せず青色光ＢＬを透過する層である。第２パターン層Ｐ２は、青色を呈する透光性のある材料、即ち青色光ＢＬを透過し他の色は透過しない光選択透過材により形成される。換言すれば、第２パターン層Ｐ２は、赤色光ＲＬを透過せず青色光ＢＬを透過する光選択透過材（青色光選択透過材）により形成される。緑色光選択透過材による第２パターン層Ｐ２の形成手法や変更例は、第１パターン層Ｐ１の場合と同様である。
【００２４】
第１パターン層Ｐ１や第２パターン層Ｐ２のパターンは、図５に示されるように、各コードキー３０の切替表示における各種記号に応じて形成される。各コードキー３０では、第１の記号として、赤色の数字である赤数字が表示され、第２の記号として、青色の数字である青数字が切替表示される。光学積層体４４は、これら記号の表示面となっている。尚、記号として、文字や符号等といった数字以外のものが用いられても良い。
【００２５】
赤数字（図５では「０」）の発光部分と青数字（同「４」）の発光部分が重なる赤青重複部分Ｎには、第１パターン層Ｐ１は配置されず、第２パターン層Ｐ２も配置されない。第１パターン層Ｐ１や第２パターン層Ｐ２が配置されなければ、青色光ＢＬ及び赤色光ＲＬの何れも、その前側（発光手段４２から見ると遠方側）までそのまま通過することができる。又、赤数字の赤色発光部分と青数字の非発光部分（地の部分，ここでは黒色）が重なる赤黒重複部分Ｒには、第１パターン層Ｐ１が配置され、第２パターン層Ｐ２は配置されない。更に、赤数字の非発光部分と青数字の青色発光部分が重なる青黒重複部分Ｂには、第１パターン層Ｐ１は配置されず、第２パターン層Ｐ２が配置される。加えて、赤数字の地の部分と青数字の地の部分が重なる黒色重複部分Ｋには、第１パターン層Ｐ１及び第２パターン層Ｐ２の双方が配置される。従って、第１パターン層Ｐ１は、青数字において青色でない部分（青色発光部分以外の部分）に配置され、第２パターン層Ｐ２は、赤数字において赤色でない部分（赤色発光部分以外の部分）に配置される。
【００２６】
尚、ここでは、第１パターン層Ｐ１は、赤数字に応じて配置され、他の部分には配置されないものと把握されているが、別の把握がなされることも可能である。即ち、第１パターン層Ｐ１は、赤数字の形状にかかわらず表示面全体に亘るものと捉えられ、第１パターン層Ｐ１中に、青色光ＢＬを透過せず赤色光ＲＬを透過するパターン部分と、青色光ＢＬ及び赤色光ＲＬを透過する非パターン部分を有するものと捉えられても良い。そして、第１パターン層Ｐ１のパターン部分が赤色樹脂膜で形成され、非パターン部分が透明樹脂膜で形成されて良い。この点は、第２パターン層Ｐ２についても同様である。又、表示内容や意匠の形状等に応じ、黒色重複部分Ｋ・青黒重複部分Ｂ・赤黒重複部分Ｒ・赤青重複部分Ｎの何れかが省略されても良い。更に、黒色重複部分Ｋに対応するパターンにおいて、可視領域全体を透過しない不透過層が設けられても良い。不透過層は、好適には、第２パターン層Ｐ２より前側に配置される。又、不透過層は、好適には、黒色インクにより、又印刷により形成される。不透過膜を設けた場合、黒色重複部分Ｋに対応するパターンにおいて第２パターン層Ｐ２と第１パターン層Ｐ１の少なくとも一方が省略されて良い。不透過層を配置することにより、非発光部分は黒く濃くすることができ、コントラストが一層良好となる。あるいは、不透過層として、第１パターン層Ｐ１や第２パターン層Ｐ２より光源側に配置されたものが用いられても良い。この場合、好適には、不透過層は白色にされる。不透過層が白色にされると、不透過層の外側に光を透過させず一旦内側に光を反射させることができ、その反射された光を再帰反射により表示光として再利用することが可能となって、表示がより明るくなり、不透過により記号に係る非発光部分を濃くすることと相まってコントラストがより一層良好になる。加えて、第１パターン層Ｐ１や第２パターン層Ｐ２のパターンは、数字部分を発光させず地の部分を発光させるものとする等、適宜変更されて良い。
【００２７】
１０個のコードキー３０における赤数字と青数字の種類の割り当て（配置）は、ここでは図６に模式的に示される通りである。即ち、左上のコードキー３０から右へ順に赤５／青３，赤３／青８，赤９／青２であり、すぐ下の行の左から順に赤２／青６，赤７／青９，赤６／青５であり、同様に赤１／青７，赤４／青１，赤８／青０であり、最も下のコードキー３０では赤０／青４である。以下、１０個のコードキー３０については、特に別途記載されない限りこの順番で説明し、順に第１のコードキー３０ないし第１０のコードキー３０とすることがある。図５では、第１０のコードキー３０が示されている。かように、赤数字においても青数字においても、０〜９の数字が一通り存在しており、又赤数字と青数字で０〜９の配置が異なっている。尚、赤数字と青数字の配置は、赤数字と青数字の値を同一としたコードキー３０が含まれるようにする等、様々に変更され得る。
【００２８】
又、隠蔽層Ｈは、光源５０の消灯（発光手段４２の非発光）時に、第１パターンＰ１や第２パターンＰ２の外光による視認性を低減するものであって、第１パターンＰ１や第２パターンＰ２より前側に配置されており、構造色ミラーを含んでいる。構造色ミラーは、金属膜を有するミラーと異なり、薄膜の微小な立体構造によって特定の色の光を反射するものであり、例えば、高屈折率層と低屈折率層を交互に積層した交互積層膜や、回折格子である。構造色ミラーを有する隠蔽層Ｈにより、入り込んだ外光の内の特定色の光が比較的に強く反射され、その光によって第１パターンＰ１や第２パターンＰ２が隠蔽される。尚、隠蔽層Ｈは、スモーク板といった構造色ミラー以外のもので形成されても良いし、省略されても良い。又、隠蔽層Ｈは、第１パターンＰ１と第２パターンＰ２の間に配置される等、その配置が変更されても良いし、第１パターンＰ１若しくは第２パターンＰ２の何れか一方のパターンの視認性を低減するものとされても良い。
【００２９】
他方、キー手段１４の訂正キー３１や確認キー３２では、コードキー３０と同様にキートップの押し込みにより入力を受け付けるものの、コードキー３０と異なり記号の切替表示はなされず、訂正キー３１では「訂正」の文字が常時表示され、確認キーでは「確認」の文字が常時表示される。尚、訂正キー３１や確認キー３２の少なくとも一方において、コードキー３０と同様に、記号の切替表示がなされるようにしても良く、この場合において、表示されている記号に応じて入力受付時の処理が変わるようにして良い。例えば、制御手段２０は、所定回数（３回等）連続して証明の入力に対し不受理と判定すると、訂正キー３１の表示を「訂正」から「無効」に切り替えて、所定の時間に亘り入力を受け付けないようにしても良い。又、キー手段１４の１以上のキーは、タッチセンサを備えており接触により入力を受け付けるシートキーとされても良い。例えば、キー手段１４は、１個のシートキーが１２のエリアに分割されたうえで、それぞれ切替表示可能なコードキー３０に係る１０個のエリアと、訂正キー３１のエリアと、確認キー３２のエリアが設けられるものとされても良い。
【００３０】
受付暗証コード表示手段１６は、暗証コード８に応じ、７セグメント表示部６０を４個有する。各７セグメント表示部６０は、各セグメントにおいて赤色若しくは青色で発光可能であり、赤数字若しくは青数字を表示可能である。受付暗証コード表示手段１６は、制御手段２０による制御のもと、キー手段１４において入力された赤数字若しくは青数字を７セグメント表示部６０において順に表示する。尚、受付暗証コード表示手段１６は、７セグメント表示部６０に代えて、あるいはこれと共に、液晶表示部等の他の表示部が用いられても良いし、省略されても良いし、入力済みの又は入力中の桁数を表示する表示部（４個のランプ等）が用いられても良い。
【００３１】
記憶手段１８は、個人カード２からの個人ＩＤ６や暗証コード８に加え、有効個人ＩＤテーブル７０や、有効暗証コードテーブル７２、基本表示配列７４、受付暗証コード７６を記憶可能である。有効個人ＩＤテーブル７０は、有効に扱われるべき個人ＩＤ６と同一のあるいは一対一で対応する情報である有効個人ＩＤ８０を１個あるいは複数有している。有効暗証コードテーブル７２は、有効に扱われるべき暗証コード８と同一のあるいは一対一で対応する情報である有効暗証コード８２を１個あるいは複数有している。基本表示配列７４は、１０個のコードキー３０に係る各入力段階における赤数字や青数字の配置ないしその遷移が示されるものであり、１種類若しくは複数種類記憶されている。受付暗証コード７６は、キー手段１４において順次入力を受け付けられた赤数字若しくは青数字、即ち証明の受理を得るために順次入力された証明暗証コードが、認証処理のために保存されるものである。
【００３２】
≪動作等≫
このような認証システム１は、図７等に示されるように、主に次のように動作する。以下、処理のステップが適宜Ｓと記載される。電気錠Ｅを施錠あるいは解錠しようとする証明者は、個人カード２を認証装置４の近距離通信手段１２に近づける。制御手段２０は、個人カード２から、近距離通信手段１２を介して個人ＩＤ６と暗証コード８を受信し、記憶手段１８に記憶する（Ｓ１）。ここでは、暗証コード８は青１・赤２・赤３・青４とされており、正規の証明者は４桁の数字に加えて各桁の色をも記憶している。尚、他の暗証コード８が用いられて良いし、全て同じ色の単純なもの等、所定の暗証コード８の使用が禁止されても良い。
【００３３】
制御手段２０は、有効個人ＩＤテーブル７０を参照し、記憶した個人ＩＤ６と一致する有効個人ＩＤ８０が存在するか否かを確認する（Ｓ２）。存在しなければ（Ｎｏ）、個人ＩＤ６が無効であるものとして、制御手段２０は処理を終了する。他方、存在すれば（Ｙｅｓ）、制御手段２０は処理を続行する。制御手段２０は、暗証コード８についても、個人ＩＤ６と同様に有効性を確認する（Ｓ３）。尚、制御手段２０は、各種コードが無効である場合に、受付暗証コード表示手段１６等においてエラーメッセージを表示したり、図示しないブザー等によりエラー発音を行っても良い。
【００３４】
次いで、制御手段２０は、基本表示配列７４を参照し、暗証コード８に応じた１０個のコードキー３０の表示の遷移を把握する（Ｓ４）。基本表示配列７４ないし当該遷移は、上書き等により必ず暗証コード８に該当する表示がなされるように構成され、又赤数字あるいは青数字のいずれかに偏らないように構成されている。尚、暗証コード８該当表示の上書きを前提として、完全な乱数により当該遷移が形成されても良いし、同一色の偏りが生じないことを確保したうえでの乱数により当該遷移が形成されても良い。
【００３５】
続いて、制御手段２０は、図８に示されるように、把握した表示遷移に基づいて、１桁目から４桁目まで順次コードキー３０におけるコード要素（赤数字又は青数字）の表示や入力受付を行う（Ｓ５〜Ｓ８）。図７では示されないが、各桁における処理において、制御手段２０は、訂正キー３１が押される都度、１つ前の桁数の処理の最初に戻るようにし、１桁目で訂正キー３１が押されると１桁目の処理を最初から行うようにして、誤入力時の訂正が行えるようにする。尚、制御手段２０は、各種のキーの押し込み時に、ブザーを鳴らしたり、押されたキーの点灯を所定時間に亘り残存させたり、押されたキーを所定時間に亘り点滅させたりして、入力の受付が報知されるようにしても良い。
【００３６】
まず、制御手段２０は、図８（ａ）に示されるように、１桁目に係るコードキー３０の表示を行う（Ｓ５：Ｍ←１）。ここでは、制御手段２０は、１０個のコードキー３０に対し、赤・青・赤・青・赤・青・赤・青・青・青の点灯指令を出す。１０個のコードキー３０では、各光学積層体４４（それぞれの第１パターン層Ｐ１や第２パターン層Ｐ２の形成）により、赤５・青８・赤９・青６・赤７・青５・赤１・青１・青０・青４が表示される。制御手段２０は、暗証コード８に基づき、第８のコードキー３０に対して青色の点灯を指令し、青１を表示させる。そして、コードキー３０に対する入力を待機し（Ｓ６：Ｍ←１でＮｏ）、入力があると（Ｙｅｓ）、制御手段２０は、入力のあったコードキー３０が表示していたコード要素を、受付暗証コード７６の１桁目として記憶する（Ｓ７：Ｍ←１）。例えば、証明者によって第８のコードキー３０が押されると、制御手段２０は、青１を受付暗証コード７６における１桁目のコード要素として記憶する。又は、証明者によって第７のコードキー３０が押されると、制御手段２０は、赤１を受付暗証コード７６における１桁目のコード要素として記憶する。又、制御手段２０は、受付暗証コード７６の１桁目のコード要素を、受付暗証コード表示手段１６において表示する（Ｓ８：Ｍ←１）。
【００３７】
次に、制御手段２０は、図８（ｂ）に示されるように、２桁目に係るコードキー３０の表示を行う（Ｓ５：Ｍ←２）。ここでは、制御手段２０は、１０個のコードキー３０に対し、赤・青・赤・赤・赤・青・赤・青・赤・赤の点灯指令を出す。１０個のコードキー３０では、コード要素として、赤５・青８・赤９・赤２・赤７・青５・赤１・青１・赤８・赤０が表示される。制御手段２０は、暗証コード８に基づき、第４のコードキー３０に対して赤色の点灯を指令し、赤２を表示させる。そして、制御手段２０は、２桁目においても、１桁目と同様に、コードキー３０に対する入力を受け付け（Ｓ６：Ｍ←２）、入力に対応したコード要素を、受付暗証コード７６における２桁目のコード要素として記憶し（Ｓ７：Ｍ←２）、受付暗証コード表示手段１６において表示する（Ｓ８：Ｍ←２）。尚、制御手段２０は、１０個のコードキー３０のうち、１桁目から変色するものに対してのみに点灯変更指令を出し、他のものに対しては１桁目の点灯指令が継続されるようにしても良く、３桁目や４桁目についても同様である。
【００３８】
続いて、制御手段２０は、図８（ｃ）に示されるように、３桁目に係るコードキー３０の表示を行う（Ｓ５：Ｍ←３）。ここでは、制御手段２０は、１０個のコードキー３０に対し、赤・赤・赤・赤・赤・青・赤・青・赤・赤の点灯指令を出す。１０個のコードキー３０では、コード要素として、赤５・赤３・赤９・赤２・赤７・青５・赤１・青１・赤８・赤０が表示される。制御手段２０は、暗証コード８に基づき、第２のコードキー３０に対して赤色の点灯を指令し、赤３を表示させる。そして、制御手段２０は、３桁目においても、コードキー３０に対する入力を受け付け（Ｓ６：Ｍ←３）、入力に対応したコード要素を、受付暗証コード７６における３桁目のコード要素として記憶し（Ｓ７：Ｍ←３）、受付暗証コード表示手段１６において表示する（Ｓ８：Ｍ←３）。
【００３９】
更に、制御手段２０は、図８（ｄ）に示されるように、４桁目に係るコードキー３０の表示を行う（Ｓ５：Ｍ←４）。ここでは、制御手段２０は、１０個のコードキー３０に対し、赤・青・青・赤・青・青・赤・青・青・青の点灯指令を出す。１０個のコードキー３０では、コード要素として、赤５・青８・青２・赤２・青９・青５・赤１・青１・青０・青４が表示される。制御手段２０は、暗証コード８に基づき、第１０のコードキー３０に対して青色の点灯を指令し、青４を表示させる。そして、制御手段２０は、４桁目においても、コードキー３０に対する入力を受け付け（Ｓ６：Ｍ←４）、入力に対応したコード要素を、受付暗証コード７６における４桁目のコード要素として記憶し（Ｓ７：Ｍ←４）、受付暗証コード表示手段１６において表示する（Ｓ８：Ｍ←４）。
【００４０】
制御手段２０は、４桁の受付暗証コード７６の入力を受け付けた後、確認キー３２が押されると（Ｓ９でＹｅｓ）、受付暗証コード７６が暗証コード８と一致しているか否か照合する（Ｓ１０）。尚、制御手段２０は、４桁の受付暗証コード７６の入力をもって、確認キー３２の押し込みを待つことなく照合処理を行っても良い。あるいは、制御手段２０は、確認キー３２の押し込み前において、受付暗証コード７６と暗証コード８の一致を把握した場合に、二色（赤青）で点灯可能であり通常赤色で点灯している確認キー３２を青色に切替える等、切替表示可能な確認キー３２の表示を切り替えても良い。又、制御手段２０は、受付暗証コード７６の各桁の入力受付毎に、暗証コード８の対応する桁との部分的照合を行っても良く、かような部分的照合において一致が把握された場合に、受付暗証コード表示手段１６及び切替表示可能な確認キー３２の少なくとも一方の表示を（所定時間に亘り）切り替えても良い。又更に、制御手段２０は、照合以後、受付暗証コード表示手段１６における表示を消しても良い。更に、制御手段２０は、受付暗証コード７６や暗証コード８について、赤数字と青数字に代えてキーの種類（位置）で構成し（「青１赤２赤３青４」に代えて「第８コードキー第４コードキー第２コードキー第１０コードキー」）、これらを照合しても良い。
【００４１】
制御手段２０は、受付暗証コード７６が暗証コード８と一致していれば（Ｙｅｓ）、照合一致により受付暗証コード７６による証明が受理されて証明者に対する認証が得られたものとして、電気錠Ｅに対して解錠指令若しくは施錠指令又は施解錠状態変更指令を送信する（Ｓ１１）。認証された証明者は、認証システム１の設定や操作に応じて、又受信した電気錠Ｅの状態に応じて、電気錠Ｅを所望の状態にすることができる。即ち、「青１赤２赤３青４」の暗証コード８の場合において、コードキー３０が１桁目から順に青１・赤２・赤３・青４と押され、受付暗証コード７６が「青１赤２赤３青４」となったとき、照合一致により認証がなされて電気錠Ｅに所望の操作がなされる。
【００４２】
他方、受付暗証コード７６が暗証コード８と一致していない場合（Ｓ１０でＮｏ）、照合不一致により受付暗証コード７６による証明が受理不能で証明者に対する認証が得られないものとして、制御手段２０は処理を終了する。尚、この処理の終了においても、各種コードが無効である場合と同様、制御手段２０は同一のあるいは異なるエラーメッセージを表示しても良いし、同一のあるいは異なるエラー報音を行っても良い。又、制御手段２０は、照合不一致が１回以上の任意の所定回数に達した場合に、以後の操作を受け付けないようにしても良いし、電気錠Ｅや警備装置や管理者の携帯端末等に警報信号を送信しても良いし、これら双方を行っても良い。更に、制御手段２０は、４桁の受付暗証コード７６の入力が完了する前に確認キー３２の入力を把握した場合、照合不一致時と同様に処理しても良いし、確認キー３２の入力を無視しても良い。
【００４３】
≪効果等≫
以上のような本発明の認証システム１では、複数のコードキー３０による受付暗証コード７６の入力を、制御手段２０により受け付けて認証が行われ、各コードキー３０は、青色光ＢＬを透過せず赤色光ＲＬを透過する第１パターン層Ｐ１と、赤色光ＲＬを透過せず青色光ＢＬを透過する第２パターン層Ｐ２と、青色光ＢＬ又は赤色光ＲＬで切り替えて発光可能な発光手段４２を備えており、発光手段４２が青色光ＢＬを発すると、第１パターン層Ｐ１と第２パターン層Ｐ２によって、コードキー３０毎に一意な青数字が表示され、発光手段４２が赤色光ＲＬを発すると、第１パターン層Ｐ１と第２パターン層Ｐ２によって、コードキー３０毎に一意な赤数字が表示されるものであり、受付暗証コード７６は、青数字と赤数字の群から構成されており、制御手段３０は、発光手段４２に青色光ＢＬ又は赤色光ＲＬを発光させ、コードキー３０において青数字又は赤数字を表示させると共に、コードキー３０への入力を、当該コードキー３０が表示している赤数字又は青数字の入力として取り扱う。
【００４４】
従って、受付暗証コード７６が暗証コード８と照合されることで受付暗証コード７６の受理や不受理が判別される。又、受付暗証コード７６や暗証コード８が、単なる数字ではなく、赤数字と青数字の組合せとなり、その分セキュリティーレベルが上がる。例えば、同じ数字「１」であっても「赤１」と「青１」が存在し、２個のコードキー３０において同時に表示され得るので、暗証コード８を知らない不正者にとって、受付暗証コード７６の入力による認証を得ることは困難である。更に、各コードキー３０における記号の表示（赤数字と青数字の切替）は、発光手段４２の切替によって行うことができ、認証システム１は、従来の７セグメント表示器がキー毎に配置されるタイプに比べ、構成や制御がよりシンプルになり、耐久性が上昇し、低コストとなる。加えて、受付暗証コード７６の順次の入力において、１０個のコードキー３０における赤数字と青数字の配置が変化し得、その分セキュリティーレベルが上がるし、推測による受付暗証コード７６の入力が行い難い外観となり、不正者による当該入力の実行が抑制される。又、各コードキー３０におけるコード要素（赤数字や青数字）の表示は、光学積層体４４（第１パターン層Ｐ１や第２パターン層Ｐ２）を交換するだけで、容易に変更することができる。
【００４５】
又、コードキー３０の表示やコードキー３０による入力において、青数字及び赤数字が用いられるため、セキュリティーレベルを保持しながら、コードキー３０による操作等が従来の数字による認証装置と同程度に行い易い認証システム１とすることができる。
【００４６】
更に、コードキー３０は、発光手段４２の消灯時において外光による第１パターン層Ｐ１及び第２パターン層Ｐ２のパターンの視認性が低減される隠蔽層Ｈを備えており、隠蔽層Ｈは、構造色ミラーを有している。よって、発光手段４２の消灯時におけるコードキー３０ひいては認証装置４の外観が良好になる。又、発光手段４２の各発光色と構造色ミラーの反射色が異なるようにすれば、隠蔽層Ｈは発光手段４２の発光を十分に透過することとなり、隠蔽層Ｈが設けられたとしても青数字や赤数字の表示が鮮明となる。更に、構造色ミラーは、金属膜が用いられたミラーに比べ、非導電性を呈して通信用の電磁波の減衰が極めて少なくなり、近距離通信手段１２が設けられるような場合にその動作を阻害しない。
【００４７】
≪変更例等≫
尚、以上の認証システム１は、適宜次のように変更され得る。即ち、暗証コード８が数字のみとされ、制御手段２０は、コードキー３０への入力を、色（赤あるいは青）にかかわらず数字のみが有効であるものとし、数字のみ有効に取り扱われる受付暗証コード７６が数字のみの暗証コード８と一致すると認証するようにされて良い。この場合、色の区別をする形態と比べ、セキュリティーレベルはやや劣るものの、操作性に優れるし、数少ない暗証コード８が用いられるときにおいても、押すべきコードキー３０が分散されて、コードキー３０の劣化や操作時の指の動きにより暗証コード８が推測される事態が防止される。又、制御手段２０は、暗証コード８や受付暗証コード７６における色の区別の有無を、設定スイッチの操作等により切り替えても良い。
【００４８】
又、認証システム１において、赤青に加え黄（第３特定色）が用いられるようにすることも可能である。即ち、各前記キーは、更に、黄色光を透過せず青色光ＢＬ及び赤色光ＲＬを透過する第３パターン層を備えており、コードキー３０の発光手段４２は、青色若しくは赤色又は黄色の何れかに切り替えて発光可能であり、コードキー３０は、発光手段４２が黄色で発光すると、第１パターン層Ｐ１若しくは第２パターン層Ｐ２又は第３パターン層によって、コードキー３０毎に一意な黄数字が表示されるものであり、暗証コード８は、青数字及び赤数字並びに黄数字の群から構成されており、制御手段２０は、発光手段４２に青色若しくは赤色又は黄色で発光させ、各コードキー３０において青数字若しくは赤数字又は黄数字を表示させると共に、コードキー３０への入力を、当該コードキー３０が表示している青数字若しくは赤数字又は黄数字の入力として取り扱う。この場合、暗証コード８や受付暗証コード７６において三種の数字が用いられることとなり、更にセキュリティーレベルを上げたり、操作性を向上したりすることができる。尚、第１パターン層Ｐ１は、青色発光部分以外の部分に配置され、第２パターン層Ｐ２は、赤色発光部分以外の部分に配置され、第３パターン層は、黄色発光部分以外の部分に配置される。
【００４９】
そして、同様にして更に第１ないし第３特定色の何れとも（波長や波長域の）異なる第ｊ特定色（ｊ＝［４］，［４，５］，［４，５，６］・・、［］はここでは集合を示す）が発光可能とされ、且つ第ｊパターン層によって多色の数字が表示され、その表示された色の数字での入力が受け付けられることで、より一層セキュリティーレベルを上げたり、操作性を向上したりすることができる。
【符号の説明】
【００５０】
１・・認証システム、８・・暗証コード（照合用の暗証コード）、２０・・制御手段、３０・・コードキー（キー）、４２・・発光手段、７６・・受付暗証コード（証明用の暗証コード）、ＢＬ・・青色光（第１特定色の光）、Ｐ１・・第１パターン層、Ｐ２・・第２パターン層、ＲＬ・・赤色光（第２特定色の光）。
【図１】
0006528052.tif 000002
【図２】
0006528052.tif 000003
【図３】
0006528052.tif 000004
【図４】
0006528052.tif 000005
【図５】
0006528052.tif 000006
【図６】
0006528052.tif 000007
【図７】
0006528052.tif 000008
【図８】
0006528052.tif 000009